(57)【要約】【課題】飼い主等の手がペットの排泄物に触れないように使用後のペット用トイレシートを簡単に処理できるとともに、排泄物が見え難く、排泄物の臭いが拡散し難いペット用トイレシートを提供すること。【解決手段】本発明のペット用トイレシート１Ａは、排泄物捕捉面に液透過性の表面シート２と、非排泄物捕捉面に液不透過性の裏面シート３と、吸収体４とを備えたシート本体１０を有する。トイレシート１Ａには、裏面シート３の外面に最外層フィルムシート５が配されている。最外層フィルムシート５は、シート本体１０の外周縁部６に配された強接着部７１にて裏面シート３と固定され、強接着部７１以外の部分は裏面シート３と固定されていないか又は仮固定部７３にて仮固定されている。使用後のトイレシート１Ａの廃棄時には、排泄物をシート本体１０で包み、包んだシート本体１０を最外層フィルムシート５で覆うようになされている。【選択図】図１
2013111047.tif 000002
【特許請求の範囲】
【請求項１】
ペットの排泄物を受ける排泄物捕捉面を形成する液透過性の表面シートと、非排泄物捕捉面を形成する液不透過性の裏面シートと、それらシートの間に配された液保持性の吸収体とを備えたシート本体を有するペット用トイレシートであって、
前記シート本体の前記裏面シートの外面に最外層フィルムシートが配されており、
前記最外層フィルムシートは、前記シート本体の外周縁部に配された強接着部にて前記裏面シートと固定され、該強接着部以外の部分は該裏面シートと固定されていないか又は易離脱可能な仮固定部にて仮固定されており、
使用後の前記ペット用トイレシートの廃棄時には、排泄物を前記シート本体で包み、包んだ該シート本体を前記最外層フィルムシートで覆うようになされているペット用トイレシート。
【請求項２】
前記最外層フィルムシートは、自己接着性を有している請求項１に記載のペット用トイレシート。
【請求項３】
前記裏面シートは不透明であり、前記最外層フィルムシートは有色である請求項１又は２に記載のペット用トイレシート。
【請求項４】
前記裏面シートの外面に配される最外層フィルムシートは、前記裏面シートの全面積の５０〜９０％を覆うように配されている請求項１〜３の何れか１項に記載のペット用トイレシート。
【請求項５】
前記最外層フィルムシートは、伸長性の液不透過性のフィルムである請求項１〜４の何れか１項に記載のペット用トイレシート。
【請求項６】
前記ペットトイレシートは長方形状であり、前記最外層フィルムシートは、一端部側がペット用トイレ長手方向の一端部に強接着部で前記シート本体に固定されており、対向する他端部側が仮固定部によって前記シート本体に仮固定されている、請求項１〜５の何れか１項に記載のペット用トイレシート。
【請求項７】
前記最外層フィルムシートは互いに分離された２枚のフィルムシート部から構成されており、各々のフィルムシート部の最も離れた各一端部側がそれぞれ前記シート本体の外周縁部に強接着で固定され、最も近接した各一端部側は非接着であるか又は仮固定部により仮固定されている、請求項１〜６の何れか１項に記載のペット用トイレシート。
【発明の詳細な説明】
【技術分野】
【０００１】
本発明は、犬や猫等のペット（小動物）の排泄液の処理に用いられるペット用トイレシートに関する。
【背景技術】
【０００２】
従来、犬や猫等のペットを住居内で飼育する場合、ペットの排泄物の処理には、ペット用トイレシートが使用されている。使用後のペット用トイレシートを廃棄処分する際に、飼い主等の手がペットの排泄物に触れないように簡単に処理できるペット用トイレシートとして、例えば、特許文献１又は２には、紐を取り付けたペット用トイレシートが開示されており、特許文献３には、ペット用トイレシートの外周縁部に設けられたミシン目を切り離して紐を見立てるペット用トイレシートが開示されている。
【先行技術文献】
【特許文献】
【０００３】
【特許文献１】登録実用新案第３０５３１４５号公報
【特許文献２】特開２００１−２０４２８６号公報
【特許文献３】特開２００５−１３７３４３号公報
【発明の概要】
【発明が解決しようとする課題】
【０００４】
特許文献１〜３に記載のペット用トイレシートは、何れも、紐を結ぶことにより使用後のペット用トイレシートを巾着袋状に変形させて廃棄するものであり、紐の結び目以外の部位から、中の排泄物が見えたり、排泄物の臭いが拡散し易く、臭いの拡散を防止したりすることが難しい。
【０００５】
従って本発明の課題は、飼い主等の手がペットの排泄物に触れないように簡単に処理できるとともに、使用後のペット用トイレシートの排泄物が見え難く、排泄物の臭いが拡散し難いペット用トイレシートを提供することにある。
【課題を解決するための手段】
【０００６】
本発明は、ペットの排泄物を受ける排泄物捕捉面を形成する液透過性の表面シートと、非排泄物捕捉面を形成する液不透過性の裏面シートと、それらシートの間に配された液保持性の吸収体とを備えたシート本体を有するペット用トイレシートであって、前記シート本体の前記裏面シートの外面に最外層フィルムシートが配されており、前記最外層フィルムシートは、前記シート本体の外周縁部に配された強接着部にて前記裏面シートと固定され、該強接着部以外の部分は該裏面シートと固定されていないか又は易離脱可能な仮固定部にて仮固定されており、使用後の前記ペット用トイレシートの廃棄時には、排泄物を前記シート本体で包み、包んだ該シート本体を前記最外層フィルムシートで覆うようになされているペット用トイレシートを提供することにより、前記課題を解決したものである。
【発明の効果】
【０００７】
本発明のペット用トイレシートは、飼い主等の手がペットの排泄物に触れないように使用後のペット用トイレシートを簡単に処理できるとともに、排泄物が見え難く、排泄物の臭いが拡散し難い。
【図面の簡単な説明】
【０００８】
【図１】図１は、本発明のペット用トイレシートの第１実施形態を表面シート側からみた一部破断平面図である。
【図２】図２は、図１のペット用トイレシートを最外層フィルムシート側から見た平面図である。
【図３】図３は、図１のＸ１−Ｘ１線断面図である。
【図４】図４は、図１のＹ１−Ｙ１線断面図である。
【図５】図５は、使用後の図１のペット用トイレシートを廃棄する際の態様を説明する図であり、図５（ａ）はペットの排泄物を捕捉したシート本体から最外層フィルムシートを裏返す動作を示す図であり、図５（ｂ）は排泄物を包んだシート本体を裏返した最外層フィルムシートで覆う動作を示す図であり、図５（ｃ）は排泄物を包んだシート本体を裏返した最外層フィルムシートで覆った状態を示す図である。
【図６】図６は、本発明のペット用トイレシートの第２実施形態を最外層フィルムシート側から見た平面図である（図２相当図）。
【図７】図７は、本発明のペット用トイレシートの第２実施形態の変形例を最外層フィルムシート側から見た平面図である（図２相当図）。
【図８】図８は、本発明のペット用トイレシートの第２実施形態の別の変形例を最外層フィルムシート側から見た平面図である（図２相当図）。
【図９】図９は、本発明のペット用トイレシートの第２実施形態の更に別の変形例を最外層フィルムシート側から見た平面図である（図２相当図）。
【図１０】図１０は、本発明のペット用トイレシートの第２実施形態の更に別の変形例を最外層フィルムシート側から見た平面図である（図２相当図）。
【図１１】図１１は、本発明のペット用トイレシートの第３実施形態を最外層フィルムシート側から見た平面図である（図２相当図）。
【図１２】図１２は、本発明のペット用トイレシートの第４実施形態を最外層フィルムシート側から見た平面図である（図２相当図）。
【図１３】図１３は、本発明のペット用トイレシートの第５実施形態を最外層フィルムシート側から見た平面図である（図２相当図）。
【発明を実施するための形態】
【０００９】
以下、本発明のペット用トイレシートについて、その好ましい第１実施形態に基づき図１〜図５を参照しながら説明する。
第１実施形態のペット用トイレシート１Ａ（以下、「トイレシート１Ａ」ともいう）は、図１〜図４に示すように、ペットの排泄物を受ける排泄物捕捉面を形成する液透過性の表面シート２と、非排泄物捕捉面を形成する液不透過性の裏面シート３と、それらシート２，３の間に配された液保持性の吸収体４とを備えたシート本体１０を有している。また、トイレシート１Ａには、図１〜図４に示すように、裏面シート３の外面に最外層フィルムシート５が配されている。
【００１０】
本発明のペット用トイレシート又はペット用トイレシートを構成する材料においては、ペットが排泄を行う面を「排泄物捕捉面」、「上面」又は「内面」、ペットが排泄を行う面から遠い面（反対側の面）を「非排泄物捕捉面」、「下面」又は「外面」と呼ぶ。
【００１１】
第１実施形態のトイレシート１Ａを平面視した形状は、図１，図２に示すように、Ｙ方向に長い長方形状であるが、平面視した形状に特に制限はなく、例えば楕円形、多角形等の形状であってもよい。図中の「Ｙ方向」は、トイレシート１Ａの長手方向と同じ方向であり、図中の「Ｘ方向」は、トイレシート１Ａの幅方向と同じ方向であり、Ｙ方向に垂直な方向である。図中の「Ｚ方向」は、トイレシート１Ａの厚み方向と同じ方向であり、上下方向である。
【００１２】
シート本体１０の排泄物捕捉面を形成する表面シート２は、液透過性のシートである。表面シート２は、トイレシート１Ａにおいては、図１，図２に示すように、後述する吸収体４の外周よりも外方に延出しており、トイレシート１Ａの輪郭と一致する輪郭を有している。
【００１３】
表面シート２としては、例えば不織布や多孔性フィルムシート等を用いることができる。表面シート２としては、液保持性がないか極めて低いもので、液を素早く下層側へ通過させやすい材料を用いることが好ましい。そのような材料を使用することにより、表面の液残りが少なくなるので尿が拡散し難く、尿臭も拡散し難くなる。表面シート２の材料としては、撥水性繊維からなる不織布又はそれを親水化処理した不織布や、樹脂性の多孔性フィルムシートが好ましい。
【００１４】
表面シート２に不織布を使用する場合には、ペットが特に犬の場合には、いたずらで引っ掻いたり、掘り起こしたりする動作などをするために、十分な強度を有するものが好ましい。そのような不織布としては、ヒートロール不織布、スパンボンド不織布、エアスルー不織布などが挙げられる。十分な液透過性及び機械的強度の確保、並びに経済性の観点から、不織布の坪量は、１０〜１００ｇ／ｍ2、特に１５〜４０ｇ／ｍ2であることが好ましい。
【００１５】
シート本体１０の非排泄物捕捉面を形成する裏面シート３は、液不透過性のシートである。裏面シート３は、トイレシート１Ａにおいては、図１，図２に示すように、後述する吸収体４の外周よりも外方に延出しており、トイレシート１Ａの輪郭と一致する輪郭を有しており、表面シート２と同形同大に形成されている。
【００１６】
裏面シート３としては、例えば合成樹脂製の液不透過性フィルムや、スパンボンド−メルトブローン−スパンボンド積層(ＳＭＳ)不織布等の耐水圧が高い撥水性の不織布を用いることができる。裏面シート３としては、透湿性がないか低い材料を用いることが、尿が排泄された後放置されていても床やトイレトレーに湿気が溜まり難いので好ましい。低透湿性という点からは、裏面シート３として合成樹脂製のフィルムを用いることが好ましい。
【００１７】
裏面シート３は、ペットの排泄物を包んだトイレシート１Ａから該排泄物が見え難く、使用感が向上する観点から、不透明であることが好ましい。「不透明」であるとは、外界からの光を透過しにくくすることで内容物が見えにくい程度になっている状態であることを意味する。具体的には、ＪＩＳ  Ｋ  ７１０５法に準拠した全光線透過率測定方法に従って、反射・透過率計（例えば、（株）村上色彩研究所製、商品名「ＨＲ−１００」）を用いて、裏面シート３の任意の点１０点を、Ａ光源で全光透過率Ｔｔの値を測定し、その平均値を光透過率とし、当該値が０〜７０％、特に０〜５０％、更に０〜３０％のものが好ましい。また、光透過率が比較的高い場合（５０％超の場合）には、艶消しや擦り硝子調のものを使用すると、内容物が見え難くなるので、より好ましい。なお、艶消しや擦り硝子調の技術は、光透過率が低い場合に使用しても構わない。
【００１８】
図１に示すシート本体１０の吸収体４を平面視した形状は、Ｙ方向に長い長方形状であるが、形状に特に制限はなく、例えば楕円形、多角形等の形状であってもよい。
【００１９】
吸収体４としては、パルプ等のセルロース系繊維からなる吸液性繊維と、高吸収性ポリマー等のヒドロゲル材料からなる粒子との混合体から構成されているものや、又は該混合体がティッシュペーパーや不織布等からなる液透過性シートで包被されて構成されているもの、更には、２枚の不織布の間に膨潤可能な状態で高吸収性ポリマーが挟持されたパルプレス構造のものや、特開平８−２４６３９５号公報記載の吸収性シートなどを使用することができる。トイレシート１Ａでは、吸水性ポリマー、解繊パルプ等の混合物を主とする吸収体４をパルプ製の紙によって包被して吸収構造体を吸収体４として用いている。
【００２０】
シート本体１０は、図１〜図４に示すように、表面シート２と裏面シート３との間に長方形状の吸収体４を配し、吸収体４の外周よりも外方に延出する表面シート２の延出部分と裏面シート３の延出部分を、ホットメルト等の接着剤やヒートシール、超音波シール、高周波シール等の融着手段を用いて固定した外周縁部６を有している。外周縁部６により、表面シート２と裏面シート３との間に、吸収体４が挟持されるようになっており、吸収体４を構成する高吸収性ポリマー等が密封されている。外周縁部６の幅は、１〜５０ｍｍ、特に３〜３５ｍｍであることが、排泄物捕捉部分面積の確保と廃棄形状成形性の観点から好ましい。外周縁部６は、Ｘ方向に延びる一対の短手シール部６１，６１とＹ方向に延びる一対の長手シール部６２，６２と、を有している。
【００２１】
トイレシート１Ａには、図１〜図４に示すように、シート本体１０の裏面シート３の外面に最外層フィルムシート５が配されている。最外層フィルムシート５は、トイレシート１Ａにおいては、図１，図２に示すように、トイレシート１Ａの輪郭（シート本体１０の輪郭）と一致する輪郭を有しており、表面シート２及び裏面シート３と同形同大に形成されている。最外層フィルムシート５は、トイレシート１Ａにおいては、図１，図２に示すように、裏面シート３の全面積（１００％）を覆うように配されている。
【００２２】
最外層フィルムシート５は、図３，図４に示すように、シート本体１０の非排泄物捕捉面を形成する裏面シート３の外面（下面）に配されるもので、トイレシート１Ａにおいては、Ｚ方向において最も下側に位置するものであることから、使用状態においては、トイレシートと共に使用するトイレトレーや、床と直接接触する部位である。
【００２３】
最外層フィルムシート５は、シート本体１０の外周縁部６に配された強接着部７１にて裏面シート３と固定され、強接着部７１以外の部分は裏面シート３と固定されていないか又は易離脱可能な仮固定部７３にて仮固定されている。具体的に説明すると、最外層フィルムシート５は、トイレシート１Ａにおいては、図１，図２，図４に示すように、シート本体１０の外周縁部６である一方の短手シール部６１において、最外層フィルムシート５のＹ方向の一端部が、Ｘ方向に延びる強接着部７１にて裏面シート３に固定されており、シート本体１０の外周縁部６である他方の短手シール部６１において、最外層フィルムシート５のＹ方向の他端部が、易離脱可能な仮固定部７３にて裏面シート３に仮固定されているが、それ以外の部分においては裏面シート３に固定されていない。
【００２４】
強接着部７１は、トイレシート１Ａにおいては、図１，図２に示すように、外周縁部６の一方の短手シール部６１と重なる最外層フィルムシート５のＹ方向の一端部の位置に配され、短手シール部６１のＸ方向の全長に亘って配されている。強接着部７１は、外周縁部６の形成と同様に、ホットメルト等の接着剤を塗布したり、ヒートシール、超音波シール、高周波シール等の融着手段を用いたりして形成されている。このように形成された強接着部７１を介して、シート本体１０の外周縁部６である一方の短手シール部６１と最外層フィルムシート５とを強固に接着している。
【００２５】
仮固定部７３は、トイレシート１Ａにおいては、図１，図２に示すように、外周縁部６の他方の短手シール部６１と重なる最外層フィルムシート５のＹ方向の他端部の位置に配され、短手シール部６１のＸ方向の中央部にのみ配されている。仮固定部７３は、易離脱可能に仮固定されている部分であり、仮固定する手法としては、種々の手法が用いられるが、トイレシート１Ａにおいては、最外層フィルムシート５に対して剥離性を有する粘着剤を塗布して形成されている。このように形成された仮固定部７３を介して、シート本体１０の外周縁部６である他方の短手シール部６１と最外層フィルムシート５とを仮接着している。
【００２６】
トイレシート１Ａの最外層フィルムシート５は、自己接着性を有している。自己接着性を有する最外層フィルムシート５は、好ましくはフィルムシート基材の少なくとも非排泄物捕捉面（下面）に、自着剤を塗布して形成される。ここで、自己接着性とは、同種の材料間で接着する性質を意味し、具体的には、前記フィルムシート基材に塗布されている自着剤同士でのみ接着性を有する場合や、フィルムシート基材同士の高い摩擦力によって接着される場合などが挙げられる。このような自己接着性を有する最外層フィルムシート５を用いると、廃棄形状を容易に、かつ、任意の形状に形成できるので好ましい。特に、他の材料に対しては実質的に接着しない性質を併せ持つと、最外層フィルムシート５は、シート本体１０を構成する表面シート２や裏面シート３等の該最外層フィルムシート５以外のトイレシート１Ａの構成部材に実質的に接着しないので、使用後のトイレシート１Ａの廃棄時の操作性に優れるようになる。
尚、トイレシート１Ａの最外層フィルムシート５は自己接着性を有しているが、本発明のペット用トイレシートにおいては自己接着性を有していなくてもよい。
【００２７】
最外層フィルムシート５のフィルムシート基材としては、柔らかく、床を傷つけない液不透過性のフィルムが好ましく、具体的には、ポリエステル、ポリアミド、アクリル、ポリウレタン、ポリエチレン等の樹脂から形成されたフィルムや、これらいくつかの樹脂が複合されて形成されたフィルム等が挙げられる。最外層フィルムシート５が、不透過性のフィルムで構成されていると、上述したように、最外層フィルムシート５はＺ方向において最も下側に位置するものであることから、裏面シート３からの漏れを更に防止することができる。
【００２８】
最外層フィルムシート５のフィルムシート基材としては、伸長性のフィルムが好ましく、伸長性で且つ不透過性のフィルムであることが更に好ましく、伸長性で且つ不透過性のフィルムであって更に自己接着性を有していることが特に好ましい。最外層フィルムシート５の伸長性は、使用後のトイレシート１Ａの廃棄時の操作性に優れる観点から、少なくともＹ方向に伸長性を有していることが好ましく、Ｙ方向及びＸ方向に伸長性を有していることが更に好ましい。
【００２９】
最外層フィルムシート５が伸長性を有している場合、使用後のトイレシート１Ａの廃棄時の操作性に優れる観点から、最外層フィルムシート５は、Ｙ方向における最大伸長率が１２０％以上であることが好ましく、１５０％以上であることが更に好ましい。なお、最外層フィルムシート５の伸長性は収縮性がないか、極めて弱いことが好ましく、すなわち、フィルムシート５が塑性変形することが好ましい。最大伸長率は以下の方法で測定される。Ｘ方向に伸長性を有している場合も同様である。
【００３０】
＜最外層フィルムシートの最大伸張率の測定方法＞
トイレシート１Ａから最外層フィルムシート５を、Ｘ方向に２５ｍｍ、Ｙ方向に１００ｍｍ切り出し、測定片を作製する。測定片を、Ｙ方向が引張方向となるように、引張試験機（株式会社オリエンテックの「テンシロン」ＲＴＡ−１００）のチャックに取り付ける。初期チャック間距離は５０ｍｍとする。次に、測定片を１００ｍｍ／ｍｉｎでフィルムシートが破断するまで引っ張り、破断時の伸びの長さから初期長（１００ｍｍ）を引き、その値をチャック間距離で除し更に１００を乗じた値を最大伸長率とする。尚、測定片の寸法が、前述した大きさに満たない場合には、その寸法で適宜測定しても良い。Ｘ方向に伸長性を有している場合も同様な方法で測定する。
【００３１】
最外層フィルムシート５の自着剤としては、十分な止着力を有するものが好ましい。具体的には、アクリル系重合体、天然ゴム由来の重合体、ポリウレタン系重合体等が挙げられ、アクリル系重合体を使用することが好ましい。アクリル系重合体は、アクリル酸アルキルエステル及び／またはメタクリル酸アルキルエステルを主成分とする（メタ）アクリル酸エステルの単独重合体または共重合体である。（メタ）アクリル酸アルキルエステルの具体例としては、アクリル酸メチル、アクリル酸エチル、アクリル酸イソプロピル、アクリル酸ｎ−ブチル、アクリル酸ｔ−ブチル、アクリル酸イソアミル、アクリル酸２−エチルヘキシル、アクリル酸ｎ−オクチル、アクリル酸イソオクチル、アクリル酸イソノニル、アクリル酸デシル、アクリル酸ドデシル等のアクリル酸アルキルエステル、メタクリル酸メチル、メタクリル酸エチル、メタクリル酸ｎ−ブチル、メタクリル酸イソブチル、メタクリル酸ｔ−ブチル、メタクリル酸イソアミル、メタクリル酸２−エチルヘキシル、メタクリル酸ｎ−オクチル、メタクリル酸イソオクチル、メタクリル酸イソノニル、メタクリル酸デシル、メタクリル酸ドデシル等のメタクリル酸アルキルエステルが挙げられる。これらの（メタ）アクリル酸アルキルエステルは、それぞれ単独で、あるいは２種以上を組み合わせて使用することができる。
【００３２】
最外層フィルムシート５は、ペットの排泄物を包んだトイレシート１Ａから該排泄物が見え難く、使用感が向上する観点から、有色であることが好ましく、特に、裏面シート３が不透明で且つ最外層フィルムシート５が有色であることが好ましい。ここで「有色」とは、無色透明を除くが、白色（Ｌ*値が８５以上）は含む概念である。ただし、白色の場合には、白乳色であることが好ましい。一方で、白色以外の有色系である場合には、最外層フィルムシート５は、具体的には、Ｌ*ａ*ｂ*表色系におけるＬ*値が４０以下、特に２５以下、更には１０以下のものであることが好ましい。ここで最外層フィルムシート５のＬ*値は色差計によって測定できる。例えば、日本電色工業（株）のハンディ型分光色差計ＮＦ７７７（商品名）を用い、照明条件Ｃ、視野角条件２°、正面受光条件０／４５°、光束径φ１０ｍｍの測定条件で、最外層フィルムシート５の反射光を測定して求めることができる。このとき、背景板としてＬ*値が９５以上の白色板を用いて測定することが好ましい。
【００３３】
トイレシート１Ａの厚みは、用途に応じて適宜調整されればよいが、好ましくは１〜３０ｍｍ、更に好ましくは３〜２５ｍｍである。シート本体１０の吸収体４の厚みは、用途に応じて適宜調整されればよいが、好ましくは０．５〜２５ｍｍ、更に好ましくは２〜２０ｍｍである。
前記厚みは、特に断らない限り、測定法としてはキーエンス社製のレーザー厚み計（商品名：ＬＫ−０８０）にて０．２４５ｋＰａの荷重下で測定した値を厚みとする。
【００３４】
次に上述した本発明の第１実施形態のトイレシート１Ａを使用した際の作用効果について説明する。
使用後のトイレシート１Ａの廃棄時には、排泄物をシート本体１０で包み、包んだシート本体１０を最外層フィルムシート５で覆うようになされている。具体的には、使用後のトイレシート１Ａは、廃棄時には、図５（ａ）に示すように、先ず、仮固定部７３にて、シート本体１０の外周縁部６の他方の短手シール部６１に仮接着している最外層フィルムシート５の端部を、シート本体１０の短手シール部６１から外し、ペットの排泄物をシート本体１０で包む。次いで、図５（ｂ）に示すように、強接着部７１にて、シート本体１０の外周縁部６の一方の短手シール部６１に強固に接着している最外層フィルムシート５を、Ｘ方向に延びる強接着部７１を軸として、外した最外層フィルムシート５を裏返す。次いで、図５（ｃ）に示すように、包んだシート本体１０を、裏返した最外層フィルムシート５で覆う。このような手順で使用後のトイレシート１Ａを処理できるので、例えば飼い主の手がペットの排泄物に触れないように使用後のペット用トイレシートを簡単に処理できる。また、図５（ｃ）に示すように、包んだシート本体１０を、裏返した最外層フィルムシート５で覆っているので、排泄物が見え難く、排泄物の臭いが拡散し難い。
【００３５】
また、トイレシート１Ａの最外層フィルムシート５は、自己接着性を有しているので、図５（ｃ）に示すように、包んだシート本体１０を裏返した最外層フィルムシート５で覆うと、最外層フィルムシート５同士で接着し、排泄物を包んだシート本体１０を密閉することができる。その為、更に排泄物が見え難く、排泄物の臭いが更に拡散し難い。
【００３６】
また、トイレシート１Ａの最外層フィルムシート５は、自己接着性を有しているので摩擦力が向上し、トイレシート１Ａを、トイレトレーと共に使用せずに、直接床に置いて使用しても、滑り難くなる。このようにトイレシート１Ａを単体で使用しても、最外層フィルムシート５のフィルムシート基材として液不透過性のフィルムを用いていれば、液不透過性の裏面シート３との相乗効果によりペットの尿の漏れを効果的に防止することができる。
【００３７】
また、トイレシート１Ａの最外層フィルムシート５が伸長性と自己接着性を併せ持つので、所望の廃棄形状にすることが可能であることから、排泄物量が多い場合と少ない場合で内容物が見え難い形状とすることも、また、コンパクトな形状に纏めることも可能であるので、非常に使い勝手が良いものである。
【００３８】
以下に、本発明の第２〜５実施形態のトイレシートについて、図６〜図１３に基づいて説明する。各実施形態のペット用トイレシート１Ｂ〜１Ｅ（以下、「トイレシート１Ｂ〜１Ｅ」ともいう）については、第１実施形態のトイレシート１Ａと異なる点について説明する。特に説明しない点は、トイレシート１Ａと同様であり、トイレシート１Ａの説明が適宜適用される。
【００３９】
第２実施形態のトイレシート１Ｂでは、裏面シート３の外面に配される最外層フィルムシート５は、図６に示すように、裏面シート３の全面積の５０％〜９０％を覆うように配されていることが好ましい。具体的には、トイレシート１Ｂの最外層フィルムシート５は、図６に示すように、Ｘ方向においてはシート本体１０（裏面シート３）の長さと同じ長さを有し、Ｙ方向においてはシート本体１０（裏面シート３）の長さの５０〜９０％の長さを有している。
【００４０】
最外層フィルムシート５は、シート本体１０の外周縁部６に配された強接着部７１にて裏面シート３と固定され、強接着部７１以外の部分は裏面シート３と固定されていないか又は易離脱可能な仮固定部７３にて仮固定されている。具体的に説明すると、最外層フィルムシート５は、トイレシート１Ｂにおいては、図６に示すように、シート本体１０の外周縁部６である一方の短手シール部６１において、最外層フィルムシート５のＹ方向の一端部が、Ｘ方向に延びる強接着部７１にて裏面シート３に固定されており、最外層フィルムシート５のＹ方向の他端部が、易離脱可能な仮固定部７３にて裏面シート３に仮固定されているが、それ以外の部分においては裏面シート３に固定されていない。
【００４１】
強接着部７１は、トイレシート１Ｂにおいては、図６に示すように、外周縁部６の一方の短手シール部６１と重なる最外層フィルムシート５のＹ方向の一端部の位置に配され、最外層フィルムシート５のＸ方向の全長に亘って配されている。一方、仮固定部７３は、トイレシート１Ｂにおいては、図６に示すように、最外層フィルムシート５のＹ方向の他端部の位置に配され、トイレシート１ＢのＸ方向の中央部にのみ配されている。
このように配された強接着部７１を介して、シート本体１０の外周縁部６である一方の短手シール部６１と最外層フィルムシート５の一端部とを強固に接着し、仮固定部７３を介して、シート本体１０と最外層フィルムシート５の他端部とを仮接着している。
【００４２】
第２実施形態のトイレシート１Ｂにおいても、第1実施形態のトイレシート１Ａと同様の手順で使用後のトイレシート１Ｂを処理できるので、トイレシート１Ａと同様の効果を奏する。
【００４３】
第２実施形態のトイレシート１Ｂにおいては、下記のように、適宜変更可能である。
例えば、第２実施形態においては、図７に示すように、仮固定部７３を省略しても良い。
【００４４】
また、第２実施形態のトイレシート１Ｂにおいては、図８に示すように、強接着部７１を最外層フィルムシート５の３つの隅に配し（７１ａ，７１ｂ，７１ｃ）、仮固定部７３を省略しても良い。この形態では最外層フィルムシートが被固定面からずれ難く、使用時の捲れが抑制し易い。
【００４５】
また、第２実施形態のトイレシート１Ｂにおいては、図９に示すように、強接着部７２を、最外層フィルムシート５のＸ方向端部に、Ｙ方向全長に沿って配し、それ以外の箇所には強接着部及び仮固定部を設けない形態としても構わない。
【００４６】
また、第２実施形態のトイレシート１Ｂにおいては、図１０に示すように最外層フィルムシート５をコの字状としても構わない。最外層フィルムシート５と裏面シート３との接着形式はこれまで説明した形態を適用することができる他、図１０に示すような接着形態を採用することができる。具体的には、最外層フィルムシート５のＹ方向の一端部が、Ｘ方向に延びる強接着部７１にて裏面シート３に固定され、また、一対の長手シール部６２，６２において、最外層フィルムシート５のＸ方向の両端部が、Ｙ方向に延びる強接着部７２，７２にて裏面シート３に固定されている。最外層フィルムシート５は、強接着部７１，７２以外の部分においては裏面シート３に固定されていない。トイレシート１Ｂにおいては、仮固定部７３が配されていない。
【００４７】
次に、本発明の第３実施形態のトイレシート１Ｃについて、図１１に基づいて説明する。
第３実施形態のトイレシート１Ｃでは、裏面シート３の外面に配される最外層フィルムシート５は、図１１に示すように、右側のフィルムシート部５ａと左側のフィルムシート部５ｂとを備えている。トイレシート１Ｃにおいては、フィルムシート部５ａ及びフィルムシート部５ｂにより、裏面シート３の全面積の５０％〜９０％を覆うように配されている。フィルムシート部５ａ及びフィルムシート部５ｂは、それぞれ矩形状であり、Ｘ方向においてはシート本体１０（裏面シート３）の長さと同じ長さを有している。フィルムシート部５ａは、トイレシート１Ｃにおいては、シート本体１０（裏面シート３）のＹ方向の長さの３０〜８０％の長さを有しており、フィルムシート部５ｂは、トイレシート１Ｃにおいては、シート本体１０（裏面シート３）のＹ方向の長さの１０〜６０％の長さを有している。なお、フィルムシート部５ａ、５ｂ双方が不透明であることが好ましいが、排泄物を視認困難とできればいずれか一方が不透明であれば良い。また擦り硝子調又は艶消し調を採用する場合にも、フィルムシート部５ａ、５ｂの双方であることが好ましいが、一方だけでも良い。
【００４８】
右側のフィルムシート部５ａは、トイレシート１Ｃにおいては、図１１に示すように、シート本体１０の外周縁部６である一方の短手シール部６１において、フィルムシート部５ａのＹ方向右側の一端部が、Ｘ方向に延びる強接着部７１にて裏面シート３に固定されており、フィルムシート部５ａのＹ方向左側の他端部が、易離脱可能な仮固定部７３にて裏面シート３に仮固定されているが、それ以外の部分においては裏面シート３に固定されていない。
【００４９】
左側のフィルムシート部５ｂは、トイレシート１Ｃにおいては、図１１示すように、シート本体１０の外周縁部６である一方の短手シール部６１において、最外層フィルムシート５のＹ方向左側の一端部が、Ｘ方向に延びる強接着部７１にて裏面シート３に固定されており、最外層フィルムシート５のＹ方向右側の他端部が、易離脱可能な仮固定部７３にて裏面シート３に仮固定されているが、それ以外の部分においては裏面シート３に固定されていない。
【００５０】
強接着部７１は、トイレシート１Ｃにおいては、図１１に示すように、外周縁部６の一方の短手シール部６１と重なるフィルムシート部５ａのＹ方向右側の一端部の位置に配され、更に外周縁部６の他方の短手シール部６１と重なるフィルムシート部５ｂのＹ方向左側の一端部の位置に配され、それぞれ、最外層フィルムシート５のＸ方向の全長に亘って配されている。仮固定部７３は、トイレシート１Ｃにおいては、図１１に示すように、フィルムシート部５ａのＹ方向左側の他端部の位置に配され、トイレシート１ＢのＸ方向の中央部にのみ配されており、更にフィルムシート部５ｂのＹ方向右側の他端部の位置に配され、トイレシート１ＢのＸ方向の中央部にのみ配されている。このように配された強接着部７１，７１を介して、シート本体１０の外周縁部６である一対の短手シール部６１，６１とフィルムシート部５ａ，５ｂの一端部とを強固に接着し、仮固定部７３を介して、シート本体１０とフィルムシート部５ａ，５ｂの他端部とを仮接着している。
【００５１】
第３実施形態のトイレシート１Ｃによれば、フィルムシート部５ａ，５ｂが左右に分割されているため、両フィルムシート部５ａ，５ｂを重ねるように廃棄形状を形成することが可能であり、内容物がトイレシート１Ｃ内から露出することがより抑制され、また、遮蔽性に優れる。
【００５２】
次に、本発明の第４実施形態のトイレシート１Ｄについて、図１２に基づいて説明する。
第４実施形態のトイレシート１Ｄでは、裏面シート３の外面に配される最外層フィルムシート５は、図１２に示すように、裏面シート３の全面積の５０％〜９０％を覆うように配されていることが好ましい。具体的には、トイレシート１Ｄの最外層フィルムシート５は、図１２に示すように、Ｙ方向に長い長方形状であり、Ｙ方向においてはシート本体１０（裏面シート３）の長さと同じ長さを有し、Ｘ方向においてはシート本体１０（裏面シート３）の長さの５０〜９０％の長さを有している。
【００５３】
最外層フィルムシート５は、シート本体１０の外周縁部６に配されたＸ方向に延びる強接着部７１，７１と、Ｙ方向に延びる７２にて裏面シート３と固定され、強接着部７１，７２以外の部分は裏面シート３と固定されていない。また、トイレシート１Ｄにおいては、仮固定部７３が配されていない。図１２に示す形態では、強接着部７１、７１は、最外層フィルムシート５のＹ方向の両端部の位置に、Ｘ方向の全長に亘って配されている。
【００５４】
また、強接着部７２は、図１２に示すように、最外層フィルムシート５のＸ方向の一端部の位置に、Ｙ方向の全長に亘って配されている。このようにして、トイレシート１Ｄにおいては、コの字状の接着部を形成している。
【００５５】
第４実施形態のトイレシート１Ｄは、廃棄時には、先ず、ペットの排泄物をシート本体１０で包み、その後、コの字状の一対の強接着部７１，７１及び強接着部７２を軸として、最外層フィルムシート５をひっくり返し、袋状にして覆う。このような手順で使用後のトイレシート１Ｄを処理できるので、例えば飼い主の手がペットの排泄物に触れないように使用後のペット用トイレシートを簡単に処理できる。また、包んだシート本体１０を、最外層フィルムシート５で袋状にして覆っているので、排泄物が見え難く、排泄物の臭いが拡散し難い。また、最外層フィルムシート５が長手方向全体を覆うので、トイレシート１Ｄ使用時に捲れが生じ難い。
【００５６】
第５実施形態のトイレシート１Ｅについて、図１３に基づいて説明する。
第５実施形態のトイレシート１Ｅでは、裏面シート３の外面に配される最外層フィルムシート５は、図１３に示すように、上側のフィルムシート部５ａと下側のフィルムシート部５ｂとを備えている。トイレシート１Ｅにおいては、フィルムシート部５ａ及びフィルムシート部５ｂにより、裏面シート３の全面積の５０％〜９０％を覆うように配されている。フィルムシート部５ａ及びフィルムシート部５ｂは、それぞれ矩形状であり、Ｙ方向においてはシート本体１０（裏面シート３）の長さと同じ長さを有している。フィルムシート部５ａは、トイレシート１Ｉにおいては、シート本体１０（裏面シート３）のＸ方向の長さの２０〜８０％の長さを有しており、フィルムシート部５ｂは、トイレシート１Ｉにおいては、シート本体１０（裏面シート３）のＸ方向の長さの８０〜２０％の長さを有している。
【００５７】
上側のフィルムシート部５ａは、トイレシート１Ｅにおいては、図１３に示すように、シート本体１０の外周縁部６である一対の短手シール部６１，６１において、フィルムシート部５ａのＹ方向の両端部が、Ｘ方向に延びる強接着部７１ａ，７１ａにて裏面シート３に固定されており、シート本体１０の外周縁部６である一方の長手シール部６２において、フィルムシート部５ａのＸ方向上側の一端部が、Ｙ方向に延びる強接着部７２にて裏面シート３に固定されているが、それ以外の部分においては裏面シート３に固定されていない。トイレシート１Ｉにおいては、仮固定部７３が配されていない。
下側のフィルムシート部５ｂも同様の接着形態により裏面シート３に固定されている。
このようにして、フィルムシート部５ａ，５ｂにおいては、一対の強接着部７１ａ，７１ａと強接着部７２、及び一対の強接着部７１ｂ、７１ｂと強接着部７２とで、それぞれがコの字状の接着部を形成している。
このように配された強接着部７１ａ，７１ａ、７１ｂ，７１ｂを介して、シート本体１０の外周縁部６である一対の短手シール部６１，６１とフィルムシート部５ａ，５ｂのＹ方向の両端部とを強固に接着し、強接着部７２を介して、シート本体１０の外周縁部６である一方の長手シール部６２とフィルムシート部５ａ，５ｂのＸ方向外方側の一端部とを強固に接着している。
【００５８】
第５実施形態のトイレシート１Ｅによれば、廃棄形状とする際に、最外層フィルムシート５を裏面側から表面側へと返す操作が、短手方向から作業し易く、また、横方向に広いポケット構造ができることから、大量の大便を収納する操作を行いやすい。また、表面シート２を一方のフィルムシート部５ａ，５ｂで覆った後に、更に他方のフィルムシート部５ｂ，５ａで重ねるように覆うことができるので、排泄物を視覚的・嗅覚的に遮蔽する効果が高くなる。
【００５９】
本発明のペット用トイレシートは、上述の第１実施形態のトイレシート１Ａ、第２実施形態のトイレシート１Ｂ、第３実施形態のトイレシート１Ｃ、第４実施形態のトイレシート１Ｄ、第５実施形態のトイレシート１Ｅに何ら制限されるものではなく、適宜変更可能である。また、上述の第１〜第５各実施形態のトイレシートにおける各構成要件は、本発明の趣旨を損なわない範囲で、適宜組み合わせて実施できる。
【００６０】
例えば、本発明のペット用トイレシートの各構成材料には、本発明の効果を損ねない範囲で種々添加剤を配合しても良い。添加材としては、抗菌剤、無色系又は淡色系の消臭剤、香料などが挙げられる。
【００６１】
本実施形態のペット用トイレシートは、犬や猫などの動物用トイレシートとして好適であるが、このほか、ウサギ、ハムスター等の動物用トイレシートとしても使用可能である。
【符号の説明】
【００６２】
１Ａ，１Ｂ，１Ｃ，１Ｄ，１Ｅ  ペット用トイレシート
２  表面シート
３  裏面シート
４  吸収体
１０  シート本体
５  最外層フィルムシート
５ａ，５ｂ  フィルムシート部
６  外周縁部
６１  短手シール部
６２  長手シール部
７１，７２  強接着部
７３  仮固定部
【図１】
2013111047.tif 000003
【図２】
2013111047.tif 000004
【図３】
2013111047.tif 000005
【図４】
2013111047.tif 000006
【図５】
2013111047.tif 000007
【図６】
2013111047.tif 000008
【図７】
2013111047.tif 000009
【図８】
2013111047.tif 000010
【図９】
2013111047.tif 000011
【図１０】
2013111047.tif 000012
【図１１】
2013111047.tif 000013
【図１２】
2013111047.tif 000014
【図１３】
2013111047.tif 000015